(57)【要約】【課題】  変化を容易に把握可能なグラフ表示を行うようにした歩数計を提供すること。【解決手段】  加速度センサ１０７が歩行を検出して対応する歩行信号を出力すると、前記歩行信号は増幅回路１０６を介してＣＰＵ１０１に入力される。ＣＰＵ１０１は過去７日間における各日の歩数をＲＡＭ１１０から読み出して、設定されたパラメータで前記各日の歩数を時系列的に表示する。【選択図】  図１
2009199208.tif 000002
【特許請求の範囲】
【請求項１】
歩行を検出して対応する歩行信号を出力する検出手段と、前記検出手段からの歩行信号に基づいて歩数を算出する算出手段と、前記算出手段が算出した歩数に関連する複数単位の歩行情報を時系列的に表示する表示手段と、前記表示手段の最大表示値に関連するパラメータを設定する設定手段とを備え、
前記表示手段は、前記設定手段が設定したパラメータで前記複数単位の歩行情報を時系列的に表示することを特徴とする歩数計。
【請求項２】
前記設定手段は前記パラメータとして目標値を設定し、前記表示手段は、その最大表示値を、前記目標値を基準とする値に設定して前記複数単位の歩行情報を時系列的に表示することを特徴とする請求項１記載の歩数計。
【請求項３】
前記表示手段は前記目標値を前記最大表示値よりも所定量小さく設定して前記複数単位の歩行情報を時系列的に表示することを特徴とする請求項２記載の歩数計。
【請求項４】
前記表示手段は情報表示用の複数のドットを有すると共に前記ドットの数によって前記歩行情報を表示して成り、前記設定手段は前記パラメータとして前記ドット当たりの歩数情報を設定することを特徴とする請求項１乃至３のいずれか一に記載の歩数計。
【請求項５】
前記設定手段は手動操作による設定によって前記パラメータを設定することを特徴とする請求項１乃至４のいずれか一に記載の歩数計。
【請求項６】
前記設定手段は前記複数単位の歩行情報に基づいて、前記パラメータを自動設定することを特徴とする請求項１乃至４のいずれか一に記載の歩数計。
【請求項７】
前記設定手段は前記パラメータとして、過去の所定日数分の歩行情報の最大値を、前記表示手段の最大表示値の所定割合に自動設定することを特徴とする請求項６記載の歩数計。
【請求項８】
前記設定手段は前記パラメータとして、過去の所定日数分の歩行情報の最大値を、前記表示手段の最大表示値に自動設定することを特徴とする請求項６記載の歩数計。
【発明の詳細な説明】
【技術分野】
【０００１】
本発明は、歩数を計測する歩数計に関する。
【背景技術】
【０００２】
従来から、歩数を計測するために歩数計が使用されている。前記歩数計には、腕や腰に装着して使用する方式の歩数計や携帯用バッグ等に収納した状態で使用する方式の歩数計などがある。歩行した歩数や歩行距離等の歩行情報を表示部に数字やグラフによって表示するように構成されている。図６は、前記従来の歩数計において、過去７日間の各日の歩数をグラフ表示した図である。縦軸は日（図６では７日分）、横軸は各日に歩いた歩数である。
【０００３】
グラフ表示機能がついた歩数計において、特許文献１のように電子機器自体に設定されている最大歩数に対して個人がどれだけ歩行したかをグラフ表示させるものや、特許文献２のように、歩数を距離に換算してグラフ表示するものが知られている。
前記従来のグラフ表示では、個人の目標歩数と、電子機器自体の表示部に表示可能な最大歩数との差が大きく、歩数のグラフが表示部の極一部にしか表示されず、表示が見難いという問題がある。
【０００４】
また、目標歩数に対して個人の達成度が非常に分かりづらいという問題がある。さらに、デスクワークを主にするユーザなどは、ウィークデイの歩行パターンが決まっており、日単位で計測した歩数のグラフ表示を行っても、ほとんど変化のないグラフになってしまい、変化を把握し難いという問題がある。
【０００５】
【特許文献１】特開平５−３３２７８３号公報
【特許文献２】特開平５−１６４５７１号公報
【発明の開示】
【発明が解決しようとする課題】
【０００６】
本発明は、前記問題に鑑み成されたもので、歩行情報の時系列的な変化を容易に把握可能なグラフ表示を行うようにした歩数計を提供することを課題としている。
【課題を解決するための手段】
【０００７】
本発明によれば、歩行を検出して対応する歩行信号を出力する検出手段と、前記検出手段からの歩行信号に基づいて歩数を算出する算出手段と、前記算出手段が算出した歩数に関連する複数単位の歩行情報を時系列的に表示する表示手段と、前記表示手段の最大表示値に関連するパラメータを設定する設定手段とを備え、前記表示手段は、前記設定手段が設定したパラメータで前記複数単位の歩行情報を時系列的に表示することを特徴とする歩数計が提供される。
表示手段は、設定手段が設定したパラメータで複数単位の歩行情報を時系列的に表示する。
【０００８】
ここで、前記設定手段は前記パラメータとして目標値を設定し、前記表示手段は、その最大表示値を、前記目標値を基準とする値に設定して前記複数単位の歩行情報を時系列的に表示するように構成してもよい。
また、前記表示手段は前記目標値を前記最大表示値よりも所定量小さく設定して前記複数単位の歩行情報を時系列的に表示するように構成してもよい。
【０００９】
また、前記表示手段は情報表示用の複数のドットを有すると共に前記ドットの数によって前記歩行情報を表示して成り、前記設定手段は前記パラメータとして前記ドット当たりの歩数情報を設定するように構成してもよい。
また、前記設定手段は手動操作による設定によって前記パラメータを設定するように構成してもよい。
また、前記設定手段は前記複数単位の歩行情報に基づいて、前記パラメータを自動設定するように構成してもよい。
【００１０】
また、前記設定手段は前記パラメータとして、過去の所定日数分の歩行情報の最大値を、前記表示手段の最大表示値の所定割合に自動設定するように構成してもよい。
また、前記設定手段は前記パラメータとして、過去の所定日数分の歩行情報の最大値を、前記表示手段の最大表示値に自動設定するように構成してもよい。
【発明の効果】
【００１１】
本発明によれば、変化を容易に把握可能なグラフ表示を行うようにした歩数計を提供することができる。
【発明を実施するための最良の形態】
【００１２】
図１は、本発明の実施の形態に係る歩数計のブロック図である。
図１において、歩数計は、中央処理装置（ＣＰＵ）１０１、所定周波数の信号を生成する発振回路１０２、発振回路１０２からの信号を分周して計時動作の基準となる時計信号を制御回路１０１に出力する分周回路１０３、キースイッチ等によって構成されたキー入力手段１０４、歩行（走行も含む）を検出して対応する歩行信号を出力する加速度センサ１０７、加速度センサ１０７からの歩行信号を増幅してＣＰＵ１０１に出力する増幅回路１０６を備えている。
【００１３】
また歩数計は、液晶表示装置等によって構成された表示部１０８、歩数等のデータを記憶するランダムアクセスメモリ（ＲＡＭ）１１０、ＣＰＵ１０１が実行するプログラムを記憶した読み出し専用メモリ（ＲＯＭ）１１１、前記各回路要素に駆動電力を供給する電源である電池１１２とを備えている。
ＣＰＵ１０１は、ＲＯＭ１１１に記憶したプログラムを実行することによって、前記時計信号を計数することによる現在時刻の計時処理をはじめとして、後述するような歩数情報の算出処理、各回路要素の制御処理等を行う。
【００１４】
表示部１０８は、７行×３６列のドット構成となっている。７行のドットは各々所定時間（単位：本実施の形態では１日）の歩行情報であり、３６列のドットは歩行情報の量を示すものである。７行の単位は本実施の形態では過去７日間に相当している。尚、単位としては、日ではなく、所定時間等、種々の設定が可能である。
センサとしては加速度センサ１０７以外にも、機械式センサ等を使用することが可能である。
【００１５】
ここで、加速度センサ１０７及び増幅回路１０６は検出手段を構成し、表示部１０８は表示手段を構成し、キー入力手段１０４は手動で表示手段の最大表示値に関連するパラメータを設定する設定手段を構成している。また、ＣＰＵ１０１は算出手段、自動で表示手段の最大表示値に関連するパラメータを設定する設定手段を構成している。また、ＣＰＵ１０１、発振回路１０２及び分周回路１０３は計時手段を構成している。
【００１６】
図２、図３は、本発明の実施の形態に係る歩数計の処理を示すフローチャートで、主として、ＣＰＵ１０１がＲＯＭ１１１に記憶したプログラムを実行することによって行う処理を示している。
また、図４、図５は、本実施の形態において表示部１０８に歩数をグラフ表示した図である。
【００１７】
以下、図１〜図５を参照して、本発明の実施の形態に係る歩数計の動作を説明する。
先ず歩数測定動作を説明すると、使用者が自己の腕（例えば手首）に歩数計を装着した状態で、キー入力手段１０４を操作することによって歩数計測開始を指示することにより、ＣＰＵ１０１は、加速度センサ１０７からの信号を計数して歩数計測動作を開始する。
【００１８】
加速度センサ１０７は、歩行を検出して対応する検出信号を出力する。増幅回路１０６は加速度センサ１０７からの歩行信号をＣＰＵ１０１に入力する。
ＣＰＵ１０１は、増幅回路１０６からの歩行信号を計数する。ＣＰＵ１０１が計数した累積歩数はＲＡＭ１１０に記憶される。使用者がキー入力手段１０４から自己の歩幅を入力している場合には、ＣＰＵ１０１は前記歩幅をＲＡＭ１１０に記憶しているため、累積歩数と前記歩幅を乗算することによって歩行距離を算出する。このようにして算出した歩数や歩行距離等の歩行に関連する情報である歩行情報は、後述するようにして表示部１０８に表示される。
【００１９】
次に、ＣＰＵ１０１が算出した歩行情報の表示動作について説明する。
先ず、図２を参照して、歩行情報の表示形式を設定する処理について説明する。使用者はキー入力手段１０４を操作することによって形式指定を行うが（ステップＳ２０１）、キー入力手段１０４を操作する毎に、指定する表示形式が順次変わるように構成されている。
【００２０】
先ず、キー入力手段１０４によって形式指定を行う旨選択すると、ＣＰＵ１０１はこれに応答して、図６と同様の歩数を単純に表示する表示形式（Ｄｉｓｐ１）にする（ステップＳ２０２）。例えば、ここでは、パラメータとして、１ドット当たり５００歩に設定される。これで処理を終了すれば、表示部１０８は前記表示形式で歩行情報を表示するように設定される。
【００２１】
この状態でキー入力手段１０４によって表示形式変更操作を行うと、設定する目標値をパラメータとして直接入力する設定に切り替わる（Ｄｉｓｐ２）（ステップＳ２０３）。この状態でキー入力手段１０４によって目標値を入力することにより、表示部１０８の最大表示値（歩数や歩行距離等の歩行情報の最大表示値）が設定される（ステップＳ２０４）。例えば、ここでは、パラメータとして（目標値／３０）を１ドットとする設定がなされる。
【００２２】
次に、この状態でキー入力手段１０４によって表示形式変更操作を行うと、パラメータとして目標値を％で入力する設定に切り替わる（Ｄｉｓｐ３）（ステップＳ２０５）。この状態でキー入力手段１０４によって目標値を入力することにより、表示部１０８の％表示が設定される（ステップＳ２０４）。Ｄｉｓｐ３の設定例は後述する。
尚、ステップＳ２０３、Ｓ２０４において、表示部１０８の最大表示値を目標値と同じにしてもよく、又、表示部１０８の最大表示値よりも所定量少ない値を前記目標値として設定するように構成してもよい。
【００２３】
次に、この状態でキー入力手段１０４によって表示形式変更操作を行うと、表示部１０８に表示される１ドット当たりの歩行情報量（例えば歩数）を入力する設定に切り替わる（Ｄｉｓｐ４）（ステップＳ２０６）。この状態でキー入力手段１０４によって１ドット当たりの歩行情報量を入力することにより、表示部１０８の最大表示値（ドット当たりの数×歩行情報量）が設定される（ステップＳ２０７）。
【００２４】
次に、この状態でキー入力手段１０４によって表示形式変更操作を行うと、所定日数（例えば７日）の最大値を表示部１０８の最大表示値の所定割合位置（例えば８割の位置）に表示するように入力する設定に切り替わる（Ｄｉｓｐ５）（ステップＳ２０８）。
次に、この状態でキー入力手段１０４によって表示形式変更操作を行うと、所定日数（例えば７日）の最大値を表示部１０８の最大表示値とするように入力する設定に切り替わる（Ｄｉｓｐ６）（ステップＳ２０９）。
以上のようにして、表示形式を設定した後、他の処理に移行する（ステップＳ２１０）。
尚、処理ステップＳ２０４、Ｓ２０７は、別の画面で入力するように構成してもよい。
【００２５】
次に、以上のようにして選択された表示形式で歩行情報を表示する処理について説明する。
ＣＰＵ１０１は、前記の如くして設定された表示形式を判断する（ステップＳ３０１）。
ＣＰＵ１０１は、表示形式の設定がＤｉｓｐ１に設定されていると判断した場合、表示部１０８の１ドット当たりの歩数を５００歩に設定する（ステップＳ３０２）。
【００２６】
次にＣＰＵ１０１は、ｎ日前の歩数を１ドット当たりの歩数５００歩で除算することによってｎ日前の歩数の表示ドット数を算出し（ステップＳ３０３）、前記処理を繰り返すことによって、１日前から７日前までの各日の歩数を表す表示ドット数を算出した後（ステップＳ３０３〜Ｓ３０５）、１日前から７日前までの各日の歩数を表示部１０８にドット表示する（ステップＳ３１６）。その後、ＣＰＵ１０１はその他の処理を行う。
尚、本実施の形態では、１日を単位として、過去の複数単位の歩行情報を、設定したパラメータで時系列的に表示するようにしているが、日単位ではなく、所定時間単位、所定日数単位など、表示単位は種々に選択することができる。
【００２７】
ＣＰＵ１０１は、処理ステップＳ３０１において表示形式Ｄｉｓｐ２に設定されていると判断した場合、表示部１０８の１ドット当たりの歩数を、目標値／３０に設定する（ステップＳ３０６）。即ち、処理ステップＳ３０６において、表示部１０８の１行当たりの最大表示値であるドット数３６のうち、３０ドットを目標値とし、目標値を超えた場合の余裕として６ドット使用する。
【００２８】
次にＣＰＵ１０１は、ｎ日前の歩数を１ドット当たりの歩数で除算することによってｎ日前の歩数の表示ドット数を算出し、前記同様の処理を行う（ステップＳ３０３〜Ｓ３０５、Ｓ３１６、Ｓ３１７）。
図４、図５は、各々、目標を９０００歩、１２０００歩に設定した場合の表示で、横軸が歩数、縦軸が過去の日である。
【００２９】
ＣＰＵ１０１は、処理ステップＳ３０１において表示形式Ｄｉｓｐ４に設定されていると判断した場合、表示部１０８の１ドット当たりの歩数を、使用者が指定したドット数に設定した後、処理ステップＳ３０３〜Ｓ３０５、Ｓ３１６、Ｓ３１７の処理を行う。
ＣＰＵ１０１は、処理ステップＳ３０１において表示形式Ｄｉｓｐ５に設定されていると判断した場合、ＲＡＭ１１０に記憶された所定日数（例えば７日）の最大値検出し（ステップＳ３０７）、１ドット当たりの歩数を、最大歩数×１．１／３６に設定した後、処理ステップＳ３０３〜Ｓ３０５、Ｓ３１６、Ｓ３１７の処理を行う。この場合、表示部１０８の最大表示値の１０パーセントを、過去の最大値を超えた場合の余裕として設けている。
【００３０】
ＣＰＵ１０１は、処理ステップＳ３０１において表示形式Ｄｉｓｐ６に設定されていると判断した場合、ＲＡＭ１１０に記憶された所定日数（例えば７日）の最大値検出し（ステップＳ３０９）、１ドット当たりの歩数を、最大歩数／３６に設定した後（ステップＳ３１０）、処理ステップＳ３０３〜Ｓ３０５、Ｓ３１６、Ｓ３１７の処理を行う。この場合、表示部１０８の最大表示値が前記過去の最大値と一致する。
【００３１】
ＣＰＵ１０１は、処理ステップＳ３０１において表示形式Ｄｉｓｐ３に設定されていると判断した場合、表示部１０８の１ドット当たりの％（ドット％）を、目標値／３０に設定する（ステップＳ３１１）。即ち、処理ステップＳ３１１において、表示部１０８の１行当たりの最大表示値であるドット数３６のうち、３０ドットを目標値１００％とし、目標値を超えた場合の余裕％として６ドット使用する。
次にＣＰＵ１０１は、ｎ日前の歩数を目標値で除算した後１００乗算することによってｎ日前歩数の％値（％歩数）を算出する（ステップＳ３１２）。
【００３２】
次にＣＰＵ１０１は、ｎ日前の歩数％をドット％で除算することによって、ｎ日前の表示ドット数を算出し（ステップＳ３１３）、前記処理を繰り返すことによって、１日前から７日前までの各日の歩数％を表す表示ドット数を算出した後（ステップＳ３１２〜Ｓ３１５）、１日前から７日前までの各日の歩数を表示部１０８にドット表示する（ステップＳ３１６）。その後、ＣＰＵ１０１はその他の処理を行う（ステップＳ３１７）。
【００３３】
以上述べたように、本実施の形態に係る歩数計によれば、加速度センサ１０７が歩行を検出して対応する歩行信号を出力すると、前記歩行信号は増幅回路１０６を介してＣＰＵ１０１に入力される。ＣＰＵ１０１は過去所定単位における各単位の歩行情報をＲＡＭ１１０から読み出して、設定されたパラメータで前記各単位の歩行情報を時系列的に表示する。
これにより、本実施の形態に係る歩数計によれば、歩行情報の時系列的な変化を容易に把握可能なグラフ表示を行うことができる。
【００３４】
また、ウィークデイなどに歩行した歩数などのグラフが、ほとんど変化のないグラフ表示ではなく、変化が良く分かるグラフ表示を提供することができる。
また、個人の目標値を設定することで、グラフの表示範囲が目標設定範囲に移行することができる。
また、ｎ日分の歩数をグラフの表示範囲を大部分使用できるためダイナミック表示が可能になる。
【００３５】
また、達成度グラフの場合、日々の達成度をグラフ表示する。目標値を変更した場合でも日々の達成度が一目で把握できる。
また、目標値を日毎に変更することにより、達成度を％表示させ変化のあるグラフを表示できる。
更に、目標値を変更した場合に、過去の歩数データも新規に設定した目標値でグラフ表示を行い、目標値を設定するたびに、グラフ表示に変化がある。
【００３６】
尚、歩行情報として、歩数や歩行距離の例で説明したが、歩行によるカロリー消費量等、各種の歩行情報がある。
また、本実施の形態では、歩数計として腕歩数計の他、腰に装着して使用する方式の歩数計や、携帯用バッグに収納して携帯しながら歩数を計測する方式の歩数計等、各種歩数計に適用可能である。
【産業上の利用可能性】
【００３７】
腕や腰に装着して、あるいは携帯用バッグ等に収納した状態で、歩行や走行等の各種移動動作における歩数計測を行う歩数計に適用可能である。
【図面の簡単な説明】
【００３８】
【図１】本発明の実施の形態に係る歩数計のブロック図である。
【図２】本発明の実施の形態における処理を示すフローチャートである。
【図３】本発明の実施の形態における処理を示すフローチャートである。
【図４】本発明の実施の形態におけるグラフ表示を示す図である。
【図５】本発明の実施の形態におけるグラフ表示を示す図である。
【図６】従来の歩数計におけるグラフ表示を示す図である。
【符号の説明】
【００３９】
１０１・・・ＣＰＵ
１０２・・・発振回路
１０３・・・分周回路
１０４・・・キー入力手段
１０６・・・増幅回路
１０７・・・加速度センサ
１０８・・・表示部
１１０・・・ＲＡＭ
１１１・・・ＲＯＭ
１１２・・・電池
【図１】
2009199208.tif 000003
【図２】
2009199208.tif 000004
【図３】
2009199208.tif 000005
【図４】
2009199208.tif 000006
【図５】
2009199208.tif 000007
【図６】
2009199208.tif 000008